(57)【要約】      （修正有）【課題】電池を交換する手間をなくし且つ装置ができない期間をなくすことを可能とする電源供給システム、電力計測システムおよび計測装置を提供する。【解決手段】分電盤ＤＢと負荷ＬＤとの間に接続された第１の電源ケーブルＰＣ１に設けられ、第１の電源ケーブルＰＣ１流れる第１の負荷交流電流を検出し、検出した第１の負荷交流電流の値に応じた第２の検出交流電流を、第２の検出交流電流から得られる電力により駆動する計測装置ＭＤへ出力する第２の変流器ＣＴ２を備える。【選択図】図１
2015094749.tif 000002
【特許請求の範囲】
【請求項１】
分電盤と負荷との間に接続された電源ケーブルに流れる負荷交流電流を検出し、検出した前記負荷交流電流の値に応じた検出交流信号を出力する変流器を備え、前記検出交流信号から得られる電力を、この電力で駆動する装置へ供給する
電源供給システム。
【請求項２】
前記変流器は、前記電源ケーブルを前記分電盤と前記負荷に接続したまま設置可能な分割型である
請求項１に記載の電源供給システム。
【請求項３】
請求項１または２に記載の前記電源供給システムと、
前記分電盤と前記負荷との間で送電する電力を計測する計測装置と、
を備え、
前記変流器は、前記検出交流信号を、前記検出交流信号から得られる電力により駆動する前記計測装置へ供給する
電力計測システム。
【請求項４】
前記計測装置は、
前記検出交流信号に応じた電力を出力する電源回路と、
前記電源回路が出力した電力に応じて駆動し、且つ前記検出交流信号の値に応じた電流信号を生成する制御部と、
前記電源回路が出力した電力に応じて駆動し、且つ前記制御部が生成した電流信号に基づいた情報を含む測定結果信号を無線で送信する通信部と、
を備え、
前記電源回路が出力する電力が前記計測装置の最大消費電力以下になるように、前記変流器の巻数比が設定されている
請求項３に記載の電力計測システム。
【請求項５】
前記計測装置は、前記電源回路が出力した電力を充電する蓄電装置を更に備え、
前記制御部及び通信部は、前記蓄電装置から供給された電力により駆動する
請求項４に記載の電力計測システム。
【請求項６】
前記計測装置は、
前記検出交流信号に応じた電力を出力する電源回路と、
前記電源回路が出力した電力を充電する蓄電装置と、
前記蓄電装置から供給された電力により駆動し、且つ前記検出交流信号の値に応じた電流信号を生成する制御部と、
前記蓄電装置から供給された電力により駆動し、且つ前記制御部が生成した電流信号に基づいた情報を含む測定結果信号を無線で送信する通信部と、
を備え、
前記電源回路が出力する電力が予め設定された電力になるように、前記変流器の巻数比が設定されている
請求項３に記載の電力計測システム。
【請求項７】
前記変流器を複数備える
請求項３から６のいずれか一項に記載の電力計測システム。
【請求項８】
前記変流器は、
前記分電盤と前記負荷の間に接続された第１の電源ケーブルに設けられ、前記第１の電源ケーブルに流れる第１の負荷交流電流を検出し、検出した前記第１の負荷交流電流の値に応じた第１の検出交流電流を出力する第１の変流器と、
前記第１の電源ケーブルに設けられ、前記第１の電源ケーブルに流れる前記第１の負荷交流電流を検出し、検出した前記第１の負荷交流電流の値に応じた第２の検出交流電流を出力する第２の変流器と、を備え、
前記制御部は、前記第１の変流器が出力した第１の検出交流電流に基づいて、前記電流信号を生成し、
前記電源回路は、前記第２の変流器が出力した第２の検出交流電流に応じた電力を出力し、
前記制御部と前記通信部は、前記電源回路が出力した電力に応じて駆動する
請求項３に記載の電力計測システム。
【請求項９】
分電盤と負荷との間に接続された電源ケーブルに流れる負荷交流電流を検出し、検出した前記負荷交流電流の値に応じた検出交流信号を生成する変流器を備える電源供給システムから供給された前記検出交流信号から得られる電力により駆動し、前記検出交流信号に応じた測定結果信号を無線で送信する計測装置であって、
前記変流器が出力した検出交流信号に応じた電力を出力する電源回路と、
前記電源回路が出力した電力に応じて駆動し、且つ前記変流器が出力した検出交流信号の値に応じた電流信号を生成する制御部と、
前記電源回路が出力した電力に応じて駆動し、且つ前記制御部が生成した電流信号に基づいた情報を含む測定結果信号を無線で送信する通信部と、
を備える計測装置。
【発明の詳細な説明】
【技術分野】
【０００１】
本発明は、電源供給システム、電力計測システム及び計測装置に関する。
【背景技術】
【０００２】
従来、エネルギーの効率的な活用を目指すエネルギーマネジメントシステム（ＥＭＳ）でまず重要となるのが、分電盤の電流を計測及び監視することである。分電盤の電流を計測及び監視する際には、変流器（ＣＴ）などの電流センサが電流を検出する（例えば、特許文献１参照）。
【０００３】
電力計測ユニットは、電流センサの検出値から分電盤から供給された電力を計測する。
なお、電力計測ユニットは、ＨＥＭＳ（Ｈｏｍｅ  Ｅｎｅｒｇｙ  Ｍａｎａｇｅｍｅｎｔ  Ｓｙｓｔｅｍ）と通信するが、そのためには電源が必要となり電源は、例えば、電池が用いられている。一般に無線ＬＡＮを使用した場合、消費電力は送信で２００ｍＡ、受信で４０ｍＡ必要であり、Ｂｌｕｅｔｏｏｔｈ（登録商標）４．０を使用した場合、送信及び受信で１０ｍＡ必要となる。
【先行技術文献】
【特許文献】
【０００４】
【特許文献１】特開２０１２−８９５１６号公報
【発明の概要】
【発明が解決しようとする課題】
【０００５】
しかし、電池を電源として用いる場合、電池切れの際、電池を交換する手間が発生する。また、電池が切れた場合、電池交換するまで、電力計測ユニットは分電盤と負荷の間を送電する電力を計測できない。このように、電池で駆動する装置が、電池切れから電池交換が完了するまで動作できない問題がある。
【０００６】
そこで本発明は、上記問題に鑑みてなされたものであり、電池を交換する手間をなくし且つ装置が動作できない期間をなくすことを可能とする電源供給システム、電力計測システム及び計測装置を提供することを目的とする。
【課題を解決するための手段】
【０００７】
本発明の一態様に係る電源供給システムは、
分電盤と負荷との間に接続された電源ケーブルに流れる負荷交流電流を検出し、検出した前記負荷交流電流の値に応じた検出交流信号を出力する変流器を備え、前記検出交流信号から得られる電力を、この電力で駆動する装置へ供給する変流器を備える。
【０００８】
本発明の一態様に係る前記電源供給システムにおいて、
前記変流器は、前記電源ケーブルを前記分電盤と前記負荷に接続したまま設置可能な分割型である。
【０００９】
本発明の一態様に係る電力計測システムは、
前記電源供給システムと、
前記分電盤と前記負荷との間で送電する電力を計測する計測装置と、
を備え、
前記変流器は、前記検出交流信号を、前記検出交流信号から得られる電力により駆動する前記計測装置へ供給する。
【００１０】
本発明の一態様に係る前記電力計測システムにおいて、
前記計測装置は、
前記検出交流信号に応じた電力を出力する電源回路と、
前記電源回路が出力した電力に応じて駆動し、且つ前記検出交流信号の値に応じた電流信号を生成する制御部と、
前記電源回路が出力した電力に応じて駆動し、且つ前記制御部が生成した電流信号に基づいた情報を含む測定結果信号を無線で送信する通信部と、
を備え、
前記電源回路が出力する電力が前記計測装置の最大消費電力以下になるように、前記変流器の巻数比が設定されている
【００１１】
本発明の一態様に係る前記電力計測システムにおいて、
前記計測装置は、前記電源回路が出力した電力を充電する蓄電装置を更に備え、
前記制御部及び通信部は、前記蓄電装置から供給された電力により駆動する
【００１２】
本発明の一態様に係る前記電力計測システムにおいて、
前記計測装置は、
前記検出交流信号に応じた電力を出力する電源回路と、
前記電源回路が出力した電力を充電する蓄電装置と、
前記蓄電装置から供給された電力により駆動し、且つ前記検出交流信号の値に応じた電流信号を生成する制御部と、
前記蓄電装置から供給された電力により駆動し、且つ前記制御部が生成した電流信号に基づいた情報を含む測定結果信号を無線で送信する通信部と、
を備え、
前記電源回路が出力する電力が予め設定された電力になるように、前記変流器の巻数比が設定されている。
【００１３】
本発明の一態様に係る前記電力計測システムにおいて、
前記変流器を複数備える。
【００１４】
本発明の一態様に係る前記電力計測システムにおいて、
前記変流器は、
前記分電盤と前記負荷の間に接続された第１の電源ケーブルに設けられ、前記第１の電源ケーブルに流れる第１の負荷交流電流を検出し、検出した前記第１の負荷交流電流の値に応じた第１の検出交流電流を出力する第１の変流器と、
前記第１の電源ケーブルに設けられ、前記第１の電源ケーブルに流れる前記第１の負荷交流電流を検出し、検出した前記第１の負荷交流電流の値に応じた第２の検出交流電流を出力する第２の変流器と、を備え、
前記制御部は、前記第１の変流器が出力した第１の検出交流電流に基づいて、前記電流信号を生成し、
前記電源回路は、前記第２の変流器が出力した第２の検出交流電流に応じた電力を出力し、
前記制御部と前記通信部は、前記電源回路が出力した電力に応じて駆動する。
【００１５】
本発明の一態様に係る計測装置は、
分電盤と負荷との間に接続された電源ケーブルに流れる負荷交流電流を検出し、検出した前記負荷交流電流の値に応じた検出交流信号を生成する変流器を備える電源供給システムから供給された前記検出交流信号から得られる電力により駆動し、前記検出交流信号に応じた測定結果信号を無線で送信する計測装置であって、
前記変流器が出力した検出交流信号に応じた電力を出力する電源回路と、
前記電源回路が出力した電力に応じて駆動し、且つ前記負荷交流電流を検出する変流器が出力した検出交流信号の値に応じた電流信号を生成する制御部と、
前記電源回路が出力した電力に応じて駆動し、且つ前記制御部が生成した電流信号に基づいた情報を含む測定結果信号を無線で送信する通信部と、
を備える。
【発明の効果】
【００１６】
したがって、本発明に係る電源供給システムは、電池を交換する手間をなくし且つ装置が継続して動作することができる。
【図面の簡単な説明】
【００１７】
【図１】図１は、第１の実施形態に係る電力計測システム１の構成の一例を示す図である。
【図２】図２は、第２の実施形態に係る電力計測システム２の構成の一例を示す図である。
【図３】図３は、第３の実施形態に係る電力計測システム３の構成の一例を示す図である。
【図４】図４は、第４の実施形態に係る電力計測システム４の構成の一例を示す図である。
【図５】図５は、比較例に係る電力計測システム１００の構成の一例を示す図である。
【発明を実施するための形態】
【００１８】
（比較例）
各実施形態に係る電力計測システムについて説明する前に、比較例に係る電力計測システム１００について説明する。図５に示すように、比較例に係る電力計測システム１００は、分電盤ＤＢ、負荷ＬＤ、分電盤ＤＢと負荷ＬＤとの間を電気的に接続する第１の電源ケーブルＰＣ１、分電盤ＤＢと負荷ＬＤとの間を電気的に接続する第２の電源ケーブルＰＣ２を備える。
【００１９】
更に、電力計測システム１００は、分電盤ＤＢと負荷ＬＤの間を接続された第１の電源ケーブルＰＣ１に設けられ、第１の電源ケーブルＰＣ１に流れる第１の負荷交流電流を検出し、検出した第１の負荷交流電流の値に応じた第１の検出交流電流を出力する第１の変流器ＣＴ１を備える。
【００２０】
更に、電力計測システム１００は、分電盤ＤＢと負荷ＬＤとの間を接続された第２の電源ケーブルＰＣ２に設けられ、第２の電源ケーブルＰＣ２に流れる第２の負荷交流電流を検出し、検出した第２の負荷交流電流の値に応じた第２の検出交流電流を出力する第２の変流器ＣＴ２を備える。
【００２１】
更に、電力計測システム１００は、分電盤ＤＢと負荷ＬＤとの間で送電する電力を計測する計測装置ＭＤを備える。この計測装置ＭＤは、上述した第１の検出交流電流及び第２の検出交流電流に応じた測定結果信号を無線で送信する計測装置ＭＤを備える。
更に、電力計測システム１００は、計測装置ＭＤが無線で送信した測定結果信号を受信するＨＥＭＳ１０を備える。
【００２２】
比較例に係る計測装置ＭＤは、第１の変流器ＣＴ１と電気的に接続された第１の端子Ｔ１、第２の変流器ＣＴ２と電気的に接続された第２の端子Ｔ２、及び電池Ｘを備える。
更に、比較例に係る計測装置ＭＤは、電池Ｘと電気的に接続され、且つ第１の端子Ｔ１及び第２の端子Ｔ２と電気的に接続された制御部ＣＯＮを備える。
【００２３】
ここで制御部ＣＯＮは、電池Ｘから供給された電力で駆動する。制御部ＣＯＮは、第１の検出交流電流の位相と第２の検出交流電流の位相とを比較することにより、第１の負荷交流電流および第２の負荷交流電流の極性を判定する。そして制御部ＣＯＮは、第１の検出交流電流または第２の検出交流電流の大きさに関する情報及び判定した極性の情報を含む電流信号を生成し、生成した電流信号を通信部ＣＭへ出力する。
【００２４】
更に、比較例に係る計測装置ＭＤは、電池Ｘと電気的に接続され、且つ制御部ＣＯＮと電気的に接続された通信部ＣＭを備える。通信部ＣＭは、電池Ｘから供給された電力で駆動し、且つ制御部ＣＯＮが生成した電流信号に基づいた情報を含む測定結果信号を無線でＨＥＭＳ１０へ送信する。ここで、電流信号に基づいた情報は、例えば、分電盤ＤＢから負荷ＬＤへ供給される電力量である。これにより、ＨＥＭＳ１０は、分電盤ＤＢから負荷ＬＤへ供給される電力量を取得することができ、負荷ＬＤで消費される電力量を監視することができる。
【００２５】
比較例に係る電力計測システム１００では、電池Ｘを電源として用いる場合、電池切れの際、電池Ｘを交換する手間が発生する。また、電池Ｘが切れた場合、電池交換するまで、計測装置ＭＤは分電盤ＤＢから負荷ＬＤへ供給される電力を計測できない問題がある。
【００２６】
そこで、以下では、電池を交換する手間をなくし、且つ計測装置ＭＤが動作できない期間をなくすことを可能とする電力計測システム及び計測装置について説明する。以下、本発明に係る各実施形態について図面に基づいて説明する。
【００２７】
（第１の実施形態）
まず、本発明の一態様である第１の実施形態について説明する。第１の実施形態に係る電力計測システム１は、負荷に供給される電力を計測する。図１に示すように、第１の実施形態に係る電力計測システム１は、分電盤ＤＢ、負荷ＬＤ、分電盤ＤＢと負荷ＬＤとの間を電気的に接続する第１の電源ケーブルＰＣ１、分電盤ＤＢと負荷ＬＤとの間を電気的に接続する第２の電源ケーブルＰＣ２を備える。
【００２８】
更に、電力計測システム１は、第１の電源ケーブルＰＣ１に流れる負荷交流電流を検出し、検出した負荷交流電流の値に応じた検出交流信号を出力する電源供給システムＰＳを備える。
【００２９】
更に、電力計測システム１は、分電盤ＤＢと負荷ＬＤとの間で送電する電力を計測する計測装置ＭＤを備える。この計測装置ＭＤは、電源供給システムＰＳが出力した検出交流信号に応じた測定結果信号を無線で送信する。
更に、電力計測システム１は、計測装置ＭＤが無線で送信した測定結果信号を受信するＨＥＭＳ１０を備える。このＨＥＭＳ１０は、この測定結果信号に基づいて、分電盤ＤＢと負荷ＬＤとの間で送電する電力を監視することができる。
【００３０】
＜電源供給システムＰＳについて＞
ここで、電源供給システムＰＳについて説明する。電源供給システムＰＳは、分電盤ＤＢと負荷ＬＤの間を接続された第１の電源ケーブルＰＣ１に設けられ、第１の電源ケーブルＰＣ１に流れる第１の負荷交流電流を検出し、検出した第１の負荷交流電流の値に応じた第１の検出交流電流を出力する第１の変流器ＣＴ１を備える。
更に、電源供給システムＰＳは、第１の電源ケーブルＰＣ１に設けられ、第１の電源ケーブルＰＣ１に流れる第１の負荷交流電流を検出し、検出した第１の負荷交流電流の値に応じた第２の検出交流電流をこの第２の検出交流信号から得られる電力により駆動する計測装置ＭＤへ出力する第２の変流器ＣＴ２を備える。
【００３１】
更に、電源供給システムＰＳは、分電盤ＤＢと負荷ＬＤとの間を接続された第２の電源ケーブルＰＣ２に設けられ、第２の電源ケーブルＰＣ２に流れる第２の負荷交流電流を検出し、検出した第２の負荷交流電流の値に応じた第３の検出交流電流を出力する第３の変流器ＣＴ３を備える。
更に、第２の変流器ＣＴ２だけでは電源として必要な電力量が足りない時や、バラツキを低減させる目的等のために、電源供給システムＰＳは、第２の電源ケーブルＰＣ２に設けられ、第２の電源ケーブルＰＣ２に流れる第２の負荷交流電流を検出し、検出した第２の負荷交流電流の値に応じた第４の検出交流電流をこの第４の検出交流信号から得られる電力により駆動する計測装置ＭＤへ出力する第４の変流器ＣＴ４を備える。
【００３２】
ここで、第１の変流器ＣＴ１及び第２の変流器ＣＴ２は、一例として、第１の電源ケーブルＰＣ１にクランプすることで、第１の電源ケーブルＰＣ１を分電盤ＤＢと負荷ＬＤに接続したまま設置可能な分割型変流器（分割型ＣＴ）である。また、第３の変流器ＣＴ３及び第４の変流器ＣＴ４は、一例として、第２の電源ケーブルＰＣ２にクランプすることで、第２の電源ケーブルＰＣ２を分電盤ＤＢと負荷ＬＤに接続したまま設置可能な分割型変流器（分割型ＣＴ）である。
【００３３】
第２の検出交流電流が第１の検出交流電流より大きくなるように、第１の変流器ＣＴ１の巻数比及び第２の変流器ＣＴ２の巻数比が設定されている。ここで、第１の変流器ＣＴ２の巻数比は、第１の負荷交流電流と第１の検出交流電流との比を決定し、第２の変流器ＣＴ２の巻数比は、第１の負荷交流電流と第２の検出交流電流との比を決定するものである。
【００３４】
例えば、第１の変流器ＣＴ１の巻数比は１００００：１に設定され、第２の変流器ＣＴ２の巻数比は１０：１に設定される。この場合、分電盤ＤＢから負荷ＬＤへ流れる第１の負荷交流電流が１０Ａであるとすると、第１の検出交流電流が１ｍＡになるのに対し、第２の検出交流電流が１Ａとなる。このように、第２の検出交流電流を第１の検出交流電流より大きくすることができる。
【００３５】
また、電源回路ＰＳＣが出力する電力が計測装置ＭＤの最大消費電力以下になるように、第２の変流器ＣＴ２の巻数比及び第４の変流器ＣＴ４の巻数比が設定されている。これにより、電源回路ＰＳＣが出力する電力が計測装置ＭＤの最大消費電力以下になるので、計測装置ＭＤが過大な電力によって故障することを防ぐことができる。
【００３６】
＜計測装置ＭＤについて＞
計測装置ＭＤは、第１の変流器ＣＴ１の出力と電気的に接続された第１の端子Ｔ１、第２の変流器ＣＴ２の出力と電気的に接続された第２の端子Ｔ２、第３の変流器ＣＴ３の出力と電気的に接続された第３の端子Ｔ３、及び第４の変流器ＣＴ４の出力と電気的に接続された第４の端子Ｔ４を備える。
【００３７】
更に、計測装置ＭＤは、第２の端子Ｔ２及び第４の端子Ｔ４に電気的に接続され、電源供給システムＰＳが出力した検出交流信号に応じた電力を出力する電源回路ＰＳＣを備える。具体的には、電源回路ＰＳＣは、第２および第４の変流器ＣＴ２、ＣＴ４が出力した第２および第４の検出交流電流に応じた電力を出力する。
更に、計測装置ＭＤは、第１の端子Ｔ１及び第３の端子Ｔ３に電気的に接続され、電源回路ＰＳＣが出力した電力に応じて駆動し、且つ電源供給システムＰＳが出力した検出交流信号の値に応じた電流信号を生成する制御部ＣＯＮを備える。具体的には、制御部ＣＯＮは、第１および第３の変流器ＣＴ１、ＣＴ３が出力した第１および第３の検出交流電流に基づいて、電流信号を生成する。
【００３８】
この制御部ＣＯＮは、第１の変流器ＣＴ１が出力した第１の検出交流電流の位相と第３の変流器ＣＴ３が出力した第３の検出交流電流の位相とを比較することにより、第１の負荷交流電流および第２の負荷交流電流の極性を判定する。そして制御部ＣＯＮは、第１の検出交流電流または第２の検出交流電流の大きさに関する情報及び判定した極性の情報を含む電流信号を生成し、生成した電流信号を通信部ＣＭへ出力する。この電流信号は、例えば、一定周期で第１レベル（例えば、“０”）または第２レベル（例えば、“１”）のいずれかを示すパルス信号である。
【００３９】
更に、計測装置ＭＤは、電源回路ＰＳＣ及び制御部ＣＯＮと電気的に接続され、電源回路ＰＳＣが出力した電力に応じて駆動し、且つ制御部ＣＯＮが生成した電流信号に基づいた情報を含む測定結果信号を無線でＨＥＭＳ１０へ送信する。ここで、電流信号に基づいた情報は、例えば、分電盤ＤＢから負荷ＬＤへ供給される電力量である。これにより、ＨＥＭＳ１０は、分電盤ＤＢから負荷ＬＤへ供給される電力量を取得することができ、負荷ＬＤで消費される電力量を監視することができる。
【００４０】
以上、第１の実施形態に係る電力計測システム１は、負荷に供給される電力を計測する電力計測システムであって、分電盤ＤＢと負荷ＬＤとの間を接続された電源ケーブルに流れる負荷交流電流を検出し、検出した負荷交流電流の値に応じた検出交流信号を出力する電源供給システムＰＳと、検出交流信号に応じた測定結果信号を無線で送信する計測装置ＭＤと、を備える。そして、計測装置ＭＤは、電源供給システムＰＳが出力した検出交流信号に応じた電力を出力する電源回路ＰＳＣと、電源回路ＰＳＣが出力した電力に応じて駆動し、且つ電源供給システムＰＳが出力した検出交流信号の値に応じた電流信号を生成する制御部ＣＯＮと、電源回路ＰＳＣが出力した電力に応じて駆動し、且つ制御部ＣＯＮが生成した電流信号に基づいた情報を含む測定結果信号を無線で送信する通信部ＣＭと、を備える。
【００４１】
このようにして、制御部ＣＯＮと通信部ＣＭは、電源供給システムＰＳが出力した検出交流信号に応じた電力で駆動することができるので、電池交換の必要がなくなる。その結果、電池を交換する手間をなくし、且つ計測装置ＭＤが動作できない期間をなくすことができる。
【００４２】
更に、本実施形態において、第２の変流器ＣＴ２と第４の変流器ＣＴ４は分割型ＣＴである。これにより、この分割型ＣＴのクランプに第１の電源ケーブルＰＣ１または第２の電源ケーブルＰＣ２を挟み込むことで、制御部ＣＯＮと通信部ＣＭを駆動するための電力を取得することができる。このように、分電盤ＤＢから新たにケーブルを引き回す工事を必要としないので、電気工事士の資格がない一般使用者でも、本実施形態に係る電源供給システムＰＳを構築できる利点がある。
【００４３】
（第２の実施形態）
続いて、第２の実施形態について説明する。図２に示すように、第２の実施形態における電力計測システム２の構成は、第１の実施形態における電力計測システム１の構成に対して、計測装置ＭＤに電源回路ＰＳＣが出力した電力を充電する蓄電装置ＳＢが追加されたものになっている。なお、第２の実施形態に係る電力計測システム２では、第１の実施形態に係る電力計測システム１の構成と共通する要素には同一の符号を付し、その具体的な説明を省略する。
【００４４】
第１の実施形態とは異なり、制御部ＣＯＮは、電源回路ＰＳＣの出力ではなく、蓄電装置ＳＢの出力に電気的に接続されており、通信部ＣＭは、電源回路ＰＳＣの出力ではなく、蓄電装置ＳＢの出力に電気的に接続されている。これにより、制御部ＣＯＮと通信部ＣＭは、蓄電装置ＳＢから供給された電力により駆動する。
【００４５】
これにより、朝または夜など分電盤ＤＢから負荷ＬＤへの電力供給が大きい時間帯に、より多くの電流が第１の電源ケーブルＰＣ１及び第２の電源ケーブルＰＣ２に流れる結果、第１の検出交流電流及び第３の検出交流電流がより大きくなる。このため、蓄電装置ＳＢは、朝または夜など分電盤ＤＢから負荷ＬＤへの電力供給が大きい時間帯により多くの電気を蓄えることができる。その結果、蓄電装置ＳＢは、電力を通信部ＣＭへ安定して供給することができる。
【００４６】
本実施形態では、一例として、電源回路ＰＳＣが出力する電力が予め設定された電力になるように、第２の変流器ＣＴ２の巻数比及び第４の変流器ＣＴ４の巻数比が設定されている。ここで電源回路ＰＳＣが出力する電力は、計測装置ＭＤの最大消費電力を超えてもよいが、蓄電装置ＳＢから供給される電力が計測装置ＭＤの最大消費電力以下となるように蓄電装置ＳＢの容量が設定される。
また、蓄電装置ＳＢは、一例として、通信部ＣＭの動作に必要な電力以上の容量を有する。これにより、通信部ＣＭは、より安定的にＨＥＭＳ１０と通信することができる。
【００４７】
以上、第２の実施形態に係る電力計測システム１において、電源回路ＰＳＣが出力した電力を充電する蓄電装置ＳＢを更に備え、通信部ＣＭは、蓄電装置ＳＢから供給された電力により駆動する。これにより、蓄電装置ＳＢは、朝または夜など分電盤ＤＢから負荷ＬＤへの電力供給が大きい時間帯により多くの電気を蓄えることができ、電力を通信部ＣＭへより安定して供給することができる。このため、第１の実施形態の効果に加えて、通信部ＣＭが電力不足のために動作できない事態を防ぐことができる。その結果、通信部ＣＭは、より安定してＨＥＭＳ１０へ測定結果信号を無線で送信することができるので、ＨＥＭＳ１０は、分電盤ＤＢと負荷ＬＤとの間で送電する電力を常に監視することができる。
【００４８】
なお、第１及び第２の実施形態では、一例として、電力計測システム１及び２は、計測装置ＭＤが備える制御部ＣＯＮ及び通信部ＣＭを駆動する電力を得るために、第２の変流器ＣＴ２と第４の変流器ＣＴ４の二つの電流センサを備えたが、これに限ったものではない。電力計測システム１及び２は、第４の変流器ＣＴ４を備えていなくてもよいし、更に、一つ以上の変流器を備えてもよい。この一つ以上の変流器は、分電盤ＤＢと負荷ＬＤとの間に接続された電源ケーブルに流れる負荷交流電流を検出し、検出した前記負荷交流電流の値に応じた検出交流信号を、この検出交流信号から得られる電力により駆動する計測装置ＭＤへ供給するものである。
【００４９】
（第３の実施形態）
続いて、第３の実施形態について説明する。なお、第３の実施形態に係る電力計測システム３では、第１の実施形態に係る電力計測システム１の構成と共通する要素には同一の符号を付し、その具体的な説明を省略する。第１及び第２の実施形態に係る電力計測システム１、２では、第２の変流器ＣＴ２と第４の変流器ＣＴ４を備え、電源回路ＰＳＣは、第２および第４の変流器ＣＴ４が出力した第２および第４の検出交流電流に応じた電力を出力した。
【００５０】
それに対し、第３の実施形態に係る電力計測システム３では、第１の端子Ｔ１から配線が分岐して電源回路ＰＳＣにも第１の検出交流電流が入力され、第３の端子Ｔ３から配線が分岐して電源回路ＰＳＣにも第３の検出交流電流が入力される。また第１の端子Ｔ１と電源回路ＰＳＣが電気的に接続され、第３の端子Ｔ３と電源回路ＰＳＣが電気的に接続されている。これにより、電源回路ＰＳＣにも第１の検出交流電流と第３の検出交流電流が入力される。
【００５１】
そして、電源回路ＰＳＣは、第１及び第３の検出交流電流に応じた電力を制御部ＣＯＮ及び通信部ＣＭへ供給する。このため、第２の変流器ＣＴ２と第４の変流器ＣＴ４が不要になるので、図３に示すように、第３の実施形態における電力計測システム３の構成は、第１の実施形態における電力計測システム１の構成に対して、第２の変流器ＣＴ２と第４の変流器ＣＴ４が削除され、計測装置ＭＤから第２の端子Ｔ２及び第４の端子Ｔ４が削除された構成になっている。
【００５２】
以上、第３の実施形態に係る電力計測システム３は、第１の実施形態に係る電力計測システム１に比べて、第２の変流器ＣＴ２と第４の変流器ＣＴ４を設ける必要がないので、それらを設置する手間をなくし、且つコストを低減することができるという利点を有する。
【００５３】
（第４の実施形態）
続いて、第４の実施形態について説明する。図４に示すように、第４の実施形態における電力計測システム４の構成は、第３の実施形態における電力計測システム３の構成に対して、計測装置ＭＤに電源回路ＰＳＣが出力した電力を充電する蓄電装置ＳＢが追加された構成になっている。なお、第４の実施形態に係る電力計測システム４では、第３の実施形態に係る電力計測システム３の構成と共通する要素には同一の符号を付し、その具体的な説明を省略する。
【００５４】
第３の実施形態とは異なり、制御部ＣＯＮは、電源回路ＰＳＣの出力ではなく、蓄電装置ＳＢの出力に電気的に接続されており、通信部ＣＭは、電源回路ＰＳＣの出力ではなく、蓄電装置ＳＢの出力に電気的に接続されている。これにより、制御部ＣＯＮと通信部ＣＭは、蓄電装置ＳＢから供給された電力により駆動する。
【００５５】
これにより、朝または夜など分電盤ＤＢから負荷ＬＤへの電力供給が大きい時間帯に、より多くの電流が第１の電源ケーブルＰＣ１及び第２の電源ケーブルＰＣ２に流れる結果、第１の検出交流電流及び第３の検出交流電流がより大きくなる。このため、蓄電装置ＳＢは、朝または夜など分電盤ＤＢから負荷ＬＤへの電力供給が大きい時間帯により多くの電気を蓄えることができる。その結果、蓄電装置ＳＢは、電力を通信部ＣＭへより安定して供給することができる。
【００５６】
第２の実施形態と同様に、蓄電装置ＳＢは、一例として、通信部ＣＭの動作に必要な電力以上の容量を有する。これにより、通信部ＣＭは、より安定的にＨＥＭＳ１０と通信することができる。
【００５７】
以上、第４の実施形態に係る電力計測システム４において、第２の実施形態と同様に、電源回路ＰＳＣが出力した電力を充電する蓄電装置を更に備え、通信部ＣＭは、蓄電装置ＳＢから供給された電力により駆動する。これにより、蓄電装置ＳＢは、朝または夜など分電盤ＤＢから負荷ＬＤへの電力供給が大きい時間帯により多くの電気を蓄えることができ、電力を通信部ＣＭへ安定して供給することができる。このため、第１及び第３の実施形態の効果に加えて、蓄電装置ＳＢは、通信部ＣＭが電力不足のために動作できない事態を防ぐことができる。その結果、通信部ＣＭは、停止することなくＨＥＭＳ１０へ測定結果信号を無線で送信することができるので、ＨＥＭＳ１０は、分電盤ＤＢと負荷ＬＤとの間で送電する電力を常に監視することができる。
【００５８】
なお、各実施形態では、一例として、電源供給システムＰＳは、分電盤ＤＢと負荷ＬＤとの間に接続された電源ケーブルに流れる負荷交流電流を検出し、検出した負荷交流電流の値に応じた検出交流信号を、この検出交流信号から得られる電力により駆動する装置（ここでは、一例として計測装置ＭＤ）へ供給する変流器を備えたが、これに限ったものではない。
【００５９】
また、各実施形態では、一例として、電力計測システム１〜４は、第１の負荷交流電流および第２の負荷交流電流の極性を判定するために、第１の変流器ＣＴ１と第３の変流器ＣＴ３の二つの電流センサを備えたが、これに限ったものではない。極性を判定する必要がない場合、電力計測システム１〜４は、第１の変流器ＣＴ１と第３の変流器ＣＴ３のいずれかを備えてもよい。例えば、電力計測システム１が第１の変流器ＣＴ１の方を備える場合、制御部ＣＯＮは、第１の変流器ＣＴ１が出力した第１の検出交流電流に基づいて、この第１の検出交流電流の大きさを示す電流信号を生成してもよい。
【００６０】
なお、実施形態は例示であり、発明の範囲はそれらに限定されない。
【符号の説明】
【００６１】
１、２、３、４、１００  電力計測システム
ＤＢ  分電盤
ＬＤ  負荷
ＰＣ１  第１の電源ケーブル
ＰＣ２  第２の電源ケーブル
ＣＴ１  第１の変流器
ＣＴ２  第２の変流器
ＣＴ３  第３の変流器
ＣＴ４  第４の変流器
ＰＳ  電源供給システム
１０  ＨＥＭＳ
ＭＤ  計測装置
Ｔ１  第１の端子
Ｔ２  第２の端子
Ｔ３  第３の端子
Ｔ４  第４の端子
ＰＳＣ  電源回路
ＣＯＮ  制御部
ＣＭ  通信部
ＳＢ  蓄電装置
【図１】
2015094749.tif 000003
【図２】
2015094749.tif 000004
【図３】
2015094749.tif 000005
【図４】
2015094749.tif 000006
【図５】
2015094749.tif 000007